(57)【要約】【課題】  撮影時又は撮影前後において、撮影画像の全体とその撮影画像の合焦状態などとを、同時に且つ良好に確認することができるカメラ及び撮影方法を提供する。【解決手段】  共通の被写体についてそれぞれ個別に表示するものであるとともに、少なくとも表示領域がそれぞれ個別に構成されている複数の表示手段を有するデジタルカメラ１００であって、前記複数の表示手段における一つの表示手段である第１表示手段１と、前記複数の表示手段における他の一つの表示手段であり、前記被写体について第１表示手段１の表示状態とは少なくとも異なる倍率又は表示範囲で表示する第２表示手段２とを有し、第１表示手段１と第２表示手段２とは、双方の表示領域について、同時に視認可能な構成となっていることを特徴とする。【選択図】    図１
2006174042.tif 000002
【特許請求の範囲】
【請求項１】
被写体の撮影画像を表示するカメラにおいて、
前記撮像画像を表示する表示領域を有する第１表示手段と、
前記第１表示手段と一体又は係合自在に設けられ、前記撮像画像を前記第１表示手段の表示状態と異なる倍率で表示する表示領域を有する第２表示手段と
を備え、前記第１表示手段の表示領域及び前記第２表示手段の表示領域が必要に応じて同時に視認可能な配置状態となる
ことを特徴とするカメラ。
【請求項２】
前記第１表示手段は、撮影範囲の全体を表示するものであり、
前記第２表示手段は、前記撮影範囲の一部を拡大して表示するものであることを特徴とする請求項１に記載のカメラ。
【請求項３】
シャッター操作を受けて前記被写体の画像を撮像する撮像手段を有し、
前記第１表示手段は、シャッター操作時に前記撮像手段によって撮影された画像である確認画像の全体を表示するクイック表示機能を有し、
前記第２表示手段は、前記確認画像の一部領域又は合焦領域について拡大して表示する合焦確認表示機能を有することを特徴とする請求項１又は２に記載のカメラ。
【請求項４】
シャッター操作を受けて前記被写体の画像を撮像する撮像手段を有し、
前記第１表示手段は、前記撮像手段による撮影の前に、前記撮像手段が出力する生画像を表示するライブ表示機能を有し、
前記第２表示手段は、前記生画像の一部領域を拡大して表示する生画像拡大表示機能を有することを特徴とする請求項１から３のいずれか一項に記載のカメラ。
【請求項５】
シャッター操作を受けて前記被写体の画像を撮像する撮像手段と、
前記撮像手段によって撮像された画像を記録する記録手段とを有し、
前記第１表示手段は、前記記録手段で記録されている画像である再生画像の全体を表示する再生表示機能を有し、
前記第２表示手段は、前記再生画像の一部領域を拡大して表示する再生画像拡大表示機能を有することを特徴とする請求項１から４のいずれか一項に記載のカメラ。
【請求項６】
前記第２表示手段は、前記第１表示手段で表示されている画像の一部領域を拡大して表示するとともに、該一部領域についてスクロール表示するスクロール機能を有することを特徴とする請求項１から５のいずれか一項に記載のカメラ。
【請求項７】
前記第２表示手段は、前記第１表示手段で表示されている画像領域を分割して複数の分割領域にするとともに、該複数の分割領域における一つの領域を選択して、該領域の画像を拡大表示する分割機能を有することを特徴とする請求項１から５のいずれか一項に記載のカメラ。
【請求項８】
前記第２表示手段は、該第２表示手段における表示倍率を変更する倍率変更部を有することを特徴とする請求項１から７のいずれか一項に記載のカメラ。
【請求項９】
前記第１表示手段又は第２表示手段は、表示領域をカメラ本体内に配置する収納部と、前記表示領域をカメラ本体の外に移動させるポップアップ部とを有することを特徴とする請求項１から８のいずれか一項に記載のカメラ。
【請求項１０】
前記第２表示手段は、前記スクロール機能でスクロール表示する領域と、前記分割機能で拡大表示する領域とのいずれかについて、前記画像領域内を自動的に移動するように表示させる自動移動表示機能を有することを特徴とする請求項６又は７に記載のカメラ。
【請求項１１】
前記第２表示手段は、前記スクロール機能でスクロール表示する領域と、前記分割機能で拡大表示する領域とのいずれかについて、キー操作に応じて、前記画像領域内で移動させるキー移動表示機能を有することを特徴とする請求項６又は７に記載のカメラ。
【請求項１２】
前記ポップアップ部は、シャッターが操作された直後に、前記表示領域をカメラ本体の外に押し出すものであることを特徴とする請求項９に記載のカメラ。
【請求項１３】
被写体における撮影範囲の全部を第１表示手段に表示し、
前記撮影範囲の一部を拡大して第２表示手段に表示し、
前記第１表示手段の表示と、前記第２表示手段の表示とを、一方向から同時に視認可能にして、撮影することを特徴とする撮影方法。
【発明の詳細な説明】
【技術分野】
【０００１】
本発明は、カメラ及び撮影方法に関する。また、本発明は、撮影画像の全体及合焦位置の両方を良好に確認することを可能にするカメラ及び撮影方法に関する。
【背景技術】
【０００２】
従来のデジタルカメラは、一般に記録モードと再生モードがある。記録モードとして被写体を撮影した後に合焦確認を行う場合、撮影画像の記録保存が終わった後に再生モードに切り替え、その再生画像を拡大してモニタ表示する。この合焦確認においてピンボケと判断したときは、再び記録モードに切り替えて撮影し直すという手順を踏む必要がある。
【０００３】
このような手間を削減するために、撮影前に撮像素子（ＣＣＤ：Charge Coupled Device等）が入力した画像又は撮影後の撮影画像のうち、フォーカス枠内の部分を拡大して表示する電子カメラ装置が考え出されている（特許文献１参照）。また、特許文献１では、フォーカス枠が画面中央に固定されているのではなく、撮影者のキー操作によって、撮影画像における任意の箇所にフォーカス枠を移動できることも記載されている。
【特許文献１】特開平１１−１９６３０１号公報
【発明の開示】
【発明が解決しようとする課題】
【０００４】
しかしながら、特許文献１に記載の電子カメラ装置では、撮影画像における合焦確認及びブレ確認はできるが、撮影画像の全体と合焦（又はブレ）との両者を同時に確認することはできないという問題点がある。すなわち、特許文献１に記載の電子カメラ装置は、１つの表示部に撮影画像の全体（全体画像）と合焦等を確認するための拡大画像とを表示する。したがって、表示部に全体画像を表示するときは拡大画像の表示ができない。また、表示部に拡大画像を表示するときは全体画像の表示ができない。
【０００５】
さらに、特許文献１では、表示部の表示領域に全体的に全体画像を表示させながら、その表示領域の一部に全体画像に重なるように拡大画像を表示する技術が記載されている。しかし、この技術においても、全体画像の一部が拡大画像によって隠れてしまうので、撮影画像の全体と合焦（又はブレ）との両者を同時に確認することはできない。また、表示部の表示領域の一部に拡大画像を表示する構成とすると、拡大画像の表示領域がどうしても小さくなってしまう。この小さい表示領域の拡大画像では、合焦などを良好に確認することは困難となる。
【０００６】
本発明は、上記課題を解決するためになされたものであり、撮影時又は撮影前後において、撮影画像の全体とその撮影画像の合焦状態などとを、同時に且つ良好に確認することができるカメラ及び撮影方法を提供することを目的とする。
【課題を解決するための手段】
【０００７】
上記目的を達成するために、本発明のカメラは、被写体の撮影画像を表示するカメラにおいて、前記撮像画像を表示する表示領域を有する第１表示手段と、前記第１表示手段と一体又は係合自在に設けられ、前記撮像画像を前記第１表示手段の表示状態と異なる倍率で表示する表示領域を有する第２表示手段とを備え、前記第１表示手段の表示領域及び前記第２表示手段の表示領域が必要に応じて同時に視認可能な配置状態となることを特徴とする。
【０００８】
この発明によれば、複数の表示手段のそれぞれに、被写体を異なる表示状態で表示することができる。したがって、例えば、第１表示手段で被写体の全体画像を表示し、第２表示手段でその全体画像の一部を拡大した拡大画像を表示することができる。さらに、複数の表示手段における第１表示手段と第２表示手段とは、同時に視認可能である。そこで、本発明は、撮像手段の出力などがなす撮影画像の全体（全体画像）とその撮影画像の合焦状態などとを、同時に且つ良好に確認することができる。
【０００９】
また、本発明のカメラは、前記第１表示手段が撮影範囲の全体（全体画像）を表示するものであり、前記第２表示手段が前記撮影範囲の一部を拡大（拡大画像）して表示するものであることが望ましい。
この発明によれば、撮影者などが全体画像とその全体画像の一部の拡大画像とを同時に視認できる。したがって、撮影者は、第１表示手段の全体画像に基づいてフレーミング（撮影範囲）を調整しながら、第２表示手段の拡大画像に基づいて合焦及びブレなども確認することができる。したがって、本発明のカメラは、良好にフレーミングしながら、ピンボケ及びブレなどを良好に且つ簡便に回避することができる。
【００１０】
また、本発明のカメラは、シャッター操作を受けて前記被写体の画像を撮像する撮像手段を有し、前記第１表示手段は、シャッター操作時に前記撮像手段によって撮影された画像である確認画像の全体を表示するクイック表示機能を有し、前記第２表示手段は、前記確認画像の一部領域又は合焦領域について拡大して表示する合焦確認表示機能を有することが望ましい。
この発明によれば、第１表示手段のクイック表示機能により、撮影された確認画像の全体を表示でき、第２表示手段の合焦確認表示機能により、確認画像の一部領域を拡大表示することができる。ここで、拡大表示する一部領域は、被写体におけるピントを合わせる領域である合焦領域であってもよく、合焦領域以外でもよい。これらにより、撮影後の確認画像の一部を詳細に確認しながら、同時に、確認画像の全体を確認することができる。したがって、本発明のカメラは、撮影された確認画像が、所望のフレーミングであるか、ピンボケ及びブレなどがないかを迅速に且つ簡便に確認することができる。
【００１１】
また、本発明のカメラは、シャッター操作を受けて前記被写体の画像を撮像する撮像手段を有し、前記第１表示手段は、前記撮像手段による撮影の前に、前記撮像手段が出力する生（ライブ）画像を表示するライブ表示機能を有し、前記第２表示手段は、前記生画像の一部領域を拡大して表示する生画像拡大表示機能を有することが望ましい。
この発明によれば、第１表示手段のライブ表示機能により、現在の撮影状態を撮影領域全体として表示できる。これにより、現在の撮影状態におけるフレーミングなどを確認できる。また、第２表示手段の生画像拡大表示機能により、現在の撮影状態を撮影領域の一部拡大画像として表示できる。これにより、現在の撮影状態における合焦などを良好に確認できる。これらにより、撮影の直前に、生画像の一部を詳細に確認しながら、同時に、生画像の全体を確認することができる。したがって、本発明のカメラは、現在、所望のフレーミングであり且つ所望の合焦となっているかを迅速に且つ簡便に確認することができる。
【００１２】
また、本発明のカメラは、シャッター操作を受けて前記被写体の画像を撮像する撮像手段と、前記撮像手段によって撮像された画像を記録する記録手段とを有し、前記第１表示手段は、前記記録手段で記録されている画像である再生画像の全体を表示する再生表示機能を有し、前記第２表示手段は、前記再生画像の一部領域を拡大して表示する再生画像拡大表示機能を有することが望ましい。
この発明によれば、第１表示手段の再生表示機能により、記録されている再生画像の全体を表示できる。また、第２表示手段の再生画像拡大表示機能により、記録されている再生画像の一部を拡大画像として表示できる。これらにより、すでに記録されている再生画像の一部を詳細に確認しながら、同時に、その再生画像の全体を確認することができる。したがって、本発明のカメラは、過去に撮影した大量の再生画像などについて、所望のフレーミングであり且つ所望の合焦となっているかを迅速に且つ簡便に確認することができる。
【００１３】
また、本発明のカメラは、前記第２表示手段が、前記第１表示手段で表示されている画像の一部領域を拡大して表示するとともに、該一部領域についてスクロール表示するスクロール機能を有することが望ましい。
この発明によれば、第２表示手段のスクロール機能により、被写体の全体画像における拡大表示する領域（一部領域）を、全体画像の領域内で上下左右に移動させることができる。したがって、本発明は、全体画像を全体的に確認しながら、同時に、その全体画像の各部位について詳細に確認することができる。ここで、スクロール機能のスクロール動作は、自動的に行うものとしてもよく、撮影者のキー操作に応じて上下左右にスクロールすることとしてもよい。
【００１４】
また、本発明のカメラは、前記第２表示手段が、前記第１表示手段で表示されている画像領域を分割して複数の分割領域にするとともに、該複数の分割領域における一つの領域を選択して、該領域の画像を拡大表示する分割機能を有することが望ましい。
この発明によれば、第２表示手段の分割機能により、被写体の全体画像における一部領域を拡大表示することができる。ここで、第２表示手段は、各分割領域についてスクロール表示できるものとしてもよい。したがって、本発明は、全体画像を全体的に確認しながら、同時に、その全体画像の各部位について詳細に確認することができる。
【００１５】
また、本発明のカメラは、前記第２表示手段が、該第２表示手段における表示倍率を変更する倍率変更部を有することが望ましい。
この発明によれば、第１表示手段で良好にフレーミングの確認をしながら、同時に第２表示手段において高精度にピンボケ及びブレなどの確認をすることができる。
【００１６】
また、本発明のカメラは、前記第１表示手段又は第２表示手段が、表示領域をカメラ本体内に配置する収納部と、前記表示領域をカメラ本体の外に移動させるポップアップ部とを有することが望ましい。
この発明によれば、例えば撮影をしないときには第１又は第２表示手段をカメラ本体内に収納でき、持ち運びなどに便利なコンパクトな状態にすることができる。また、撮影時又は記録画像再生時などには、第１又は第２表示手段の表示領域をカメラ本体内から外へ出すことができ、良好にフレーミングしながらピンボケ及びブレなどを良好に且つ簡便に回避することができる。
【００１７】
また、本発明のカメラは、前記第２表示手段が、前記スクロール機能でスクロール表示する領域と、前記分割機能で拡大表示する領域とのいずれかについて、前記画像領域内を自動的に移動するように表示させる自動移動表示機能を有することが望ましい。
この発明によれば、全体画像を全体的に確認しながら、同時に、且つ自動的に、その全体画像の各部位について詳細に確認することができる。
【００１８】
また、本発明のカメラは、前記第２表示手段が、前記スクロール機能でスクロール表示する領域と、前記分割機能で拡大表示する領域とのいずれかについて、（十字）キー操作に応じて、前記画像領域内で移動させるキー移動表示機能を有することが望ましい。
この発明によれば、全体画像を全体的に確認しながら、同時に、その全体画像における撮影者の所望部分を詳細に確認することができる。
【００１９】
また、本発明のカメラは、前記ポップアップ部が、シャッターが操作された直後に、前記表示領域をカメラ本体の外に押し出すものであることが望ましい。
この発明によれば、撮影直前までコンパクトなカメラ外形を保ちながら、撮影直後は所望のフレーミングであるかピンボケ及びブレなどがないかを迅速に且つ簡便に確認することができる。
【００２０】
上記目的を達成するために、本発明の撮影方法は、被写体における撮影範囲の全部を第１表示手段に表示し、前記撮影範囲の一部を拡大して第２表示手段に表示し、前記第１表示手段の表示と、前記第２表示手段の表示とを、一方向から同時に視認可能にして、撮影することを特徴とする。
【００２１】
この発明によれば、撮影者は、第１表示手段により撮影範囲の全部（フレーミング）を確認でき、同時に、第２表示手段により撮影範囲の一部を詳細に確認できる。したがって本発明は、フレーミング、合焦、ブレなどを、簡便に、且つ迅速・正確に行うことができる。
【発明の効果】
【００２２】
本発明によれば、撮影画像の全体を確認しながら、同時にその撮影画像の一部を詳細に確認することができる。ここで、撮影画像の一部は合焦領域とすることができる。したがって、本発明は、撮影時又は撮影前後において、撮影画像の全体とその撮影画像の合焦状態などとを、簡易に、迅速且つ正確に確認することができる。
【発明を実施するための最良の形態】
【００２３】
次に本発明を実施するための最良の形態について図面を参照して説明する。
（第１実施形態）
図１は、本発明の第１実施形態に係るカメラの外観を示す斜視図である。図２は、図１に示すカメラの構成を示すブロック図である。本実施形態では、本発明に係るカメラの一例としてデジタルカメラを挙げて説明する。
【００２４】
本実施形態のデジタルカメラ１００は、カメラ本体１０と、ポップアップ部１５とを有して構成されている。ポップアップ部１５は、カメラ本体１０内の収納部に収納可能であり、図１に示すようにカメラ本体１０の外に移動することもできる。そして、ポップアップ部１５は、シャッターボタン３が押された直後に、カメラ本体１０内の収納部からカメラ本体１０の外に飛び出す構成としてもよい。なお、ポップアップ部１５は、図１に示すように、カメラ本体の外に配置されたまま固定されているものとしてもよい。
【００２５】
また、デジタルカメラ１００は、第１表示手段１、第２表示手段２、シャッターボタン３、十字キー４、キー入力部５、制御部６、撮像手段７、ＲＯＭ８、ＲＡＭ９及びＶＲＡＭ１１を有して構成されている。ここで、第１表示手段１はポップアップ部１５に配置されている。一方、第２表示手段２、シャッターボタン３、十字キー４、キー入力部５、制御部６、撮像手段７、ＲＯＭ８、ＲＡＭ９及びＶＲＡＭ１１は、カメラ本体１０に配置されている。
【００２６】
第１表示手段１及び第２表示手段２は、共通の被写体についてそれぞれ個別に表示するものである。すなわち、第１表示手段１及び第２表示手段２は、撮像手段７が取り込んだ被写体の画像をそれぞれ個別に表示する。そして、第１表示手段１の表示領域と第２表示手段２の表示領域とは個別に構成されている。
【００２７】
さらに、第１表示手段１と第２表示手段２とは、相互に、共通の被写体について異なる状態として表示することができる。ここで、異なる状態とは、被写体についての表示倍率、表示範囲（全身、顔のみ等）などをいう。さらにまた、第１表示手段１と第２表示手段２とは、撮影者が第１表示手段１及び第２表示手段２双方の表示領域について、撮影者が同時に視認できるように配置構成されている。
【００２８】
具体的には、例えば第１表示手段１は、デジタルカメラ１００の撮影範囲の全体、すなわち撮像手段７が取り込んだ画像全体を表示するものとする。そして、第１表示手段１の表示領域は、カメラ本体１０の上方、且つカメラ本体１０の背面側に配置されている。なお、第１表示手段１の表示領域は、カメラ本体１０の背面側に配置されればよく、カメラ本体１０の左脇側又は右脇側に配置されてもよく、カメラ本体１０の下方に配置されてもよい。第１表示手段１は、例えば液晶表示装置（ＬＣＤ：Liquid Crystal Display）、有機ＥＬ（エレクトロルミネッセンス）表示装置又はプラズマ表示装置などで構成する。
【００２９】
表示手段２は、デジタルカメラ１００の撮影範囲の一部、すなわち撮像手段７が取り込んだ画像全体の一部を、表示手段１の表示倍率よりも拡大して表示するものとする。そして、表示手段２の表示領域は、カメラ本体の背面に配置されている。
【００３０】
シャッターボタン３は、撮影時に押されるボタンであって、撮像手段７に対しての撮影指令を出力するものである。十字キー４は、デジタルカメラ１００の撮影状態などについの各種の設定をするものである。また、十字キー４は、撮影範囲における表示手段２で表示させる部分を上下左右に移動させるスクロール動作を制御するキーともなる。このスクロール機能は表示手段２が有している。
【００３１】
また、表示手段１は、撮影範囲における表示手段２で拡大表示される一部領域１ａを、矩形の線などとして表示することができる。この一部領域１ａは、被写体におけるピントを合わせる領域である合焦エリアとしてもよい。また、一部領域１ａは、表示手段１の表示領域の中央に固定配置してもよく、十字キー４の操作に応じて上下左右に移動（スクロール）できるものとしてもよい。
【００３２】
キー入力部５は、シャッターボタン３及び十字キー４の出力信号を制御部６に伝達するものである。制御部６は、デジタルカメラ１００全体の動作を制御するものである。そして、制御部６は、撮像処理部及び画像処理部として機能する。制御部６がなす撮像処理部は、ＣＣＤなどからなる撮像手段７の出力であるアナログ信号についてゲインを制御し、さらにそのアナログ信号をデジタル信号に変換する。制御部６がなす画像処理部は、上記デジタル信号についてＲ，Ｇ，Ｂの各色成分のレベル変換、補間処理、ガンマ補正、エッジ強調、ホワイトバランス、圧縮・伸長処理などを行う。
【００３３】
撮像手段７は、例えば、ズームレンズ、絞り、合焦レンズ及びＣＣＤなどの撮像素子からなる。ズームレンズ及び合焦レンズの位置は制御部６により制御され、絞りの開度も制御部６により制御される。ＣＣＤの動作もシャッターボタン３から撮影指令を受けた制御部６が制御する。したがって、撮影手段７は、シャターボタン３が押されることにより、被写体の画像を撮像する。撮像手段７におけるズームレンズ、絞り及び合焦レンズなどは図１のカメラ本体１０における正面側、すなわちカメラ本体１０における第２表示手段２の逆側に配置されている。
【００３４】
ＲＯＭ８は、制御部６の動作を規定するプログラムなどを記憶する不揮発性のメモリである。また、ＲＯＭ８は、撮像手段７で撮像されて制御部６で画像処理された画像データも記録することとしてもよい。ＲＡＭ９は、制御部６のワークエリアなどとなる読み書き可能なメモリである。また、ＲＡＭ９には、撮像手段７で撮像されて制御部６で画像処理された画像データも記録されることとしてもよい。また、デジタルカメラ１００は、撮像手段７で撮像されて制御部６で画像処理された画像データを記憶する記録メディアを着脱自在に備えるものとしてもよい。記録メディアとしては、例えばフラッシュメモリ、磁気テープ、磁気ディスク、光ディスクなどが適用できる。
【００３５】
ＶＲＡＭ（Video RAM）１１は、撮像手段７が取り込んだ画像の信号であって、制御部６によりコンポーネントカラービデオ信号に変換された信号を一次記憶するものである。ＶＲＡＭ１１に記憶された信号は、第１表示手段１及び第２表示手段２にそれぞれ供給される。そして、第１表示手段１及び第２表示手段２は、それぞれ、撮像手段７が取り込んだ画像についてモニタ表示することができる。次に、デジタルカメラ１００の各種機能について、より詳細に説明する。
【００３６】
（クイック表示機能）
第１表示手段１は、シャターボタン３が押されて撮像手段７によって撮影された画像である確認画像の全体を、その撮影がなされた直後に表示するクイック表示機能を有する。第２表示手段２は、その撮影がなされた直後に、第１表示手段１が表示する確認画像の一部領域１ａについて拡大して表示する合焦確認表示機能を有する。
【００３７】
これらにより、デジタルカメラ１００は、撮影が行われた直後に、撮影された確認画像の全体を第１表示手段１で表示でき、同時に、合焦領域などの確認画像の一部領域１ａを拡大して第２表示手段２で表示することができる。そこで撮影者は、撮影直後において、確認画像の一部を詳細に確認しながら、同時に、確認画像の全体を確認することができる。すなわち、デジタルカメラ１００によれば、撮影された確認画像が、所望のフレーミングであるか、ピンボケ及びブレなどがないかを迅速に且つ簡便に確認することができる。
【００３８】
また、デジタルカメラ１００では、図１に示すように、第２表示手段２の表示画面を第１表示手段１の表示画面よりも、大きくしている。これにより、第２表示手段２の表示画面である拡大画像がより見やすくなり、合焦、ブレ、コントラスト、露出などの確認がより、容易になる。
【００３９】
図３は、デジタルカメラ１００におけるクイック表示機能の詳細な動作を示すフローチャートである。なお、本フロチャートの各ステップにおいて、シャッターボタン３及び十字キー４などの入力があった場合は、その入力に応じた処理を制御部６が行うこととしてもよい。
先ず、制御部６は、合焦拡大モードであるか否か判断する（ステップＳ１）。
合焦拡大モードとは、第２表示手段２において撮影範囲（第１表示手段１の表示範囲）の一部を拡大して表示するモードである。合焦拡大モードへの設定は、十字キー４などで行える。
【００４０】
ステップＳ１において、「Ｎｏ」と判断した場合、制御部６は第２表示手段２において撮影画像（確認画像）の全体を表示する（ステップＳ８）。
この場合は、第２表示手段２にのみ撮影画像を表示する。したがって、第１表示手段１はカメラ本体１０内に収納しておくこととしてもよい。なお、ステップＳ８において一定時間何らシャッターボタン３及び十字キー４などのキー入力がない場合は、ステップＳ８の状態を維持することとしてもよい。また、ステップＳ８の動作を一定時間行った後に、ステップＳ１に戻ることとしてもよい。
【００４１】
ステップＳ１において、「Ｙｅｓ」と判断した場合、制御部６は、先ず、第１表示手段１において、撮影画像の全体を表示する（ステップＳ２）。
この場合、シャッターボタン３が押された直後に、第１表示手段１がカメラ本体１０の内部から外にポップアップすることとしてもよい。
【００４２】
ステップＳ２の直後、又はステップＳ２と同時に、制御部６は、第２表示手段２において、撮影画像の一部領域（例えば合焦領域）１ａを拡大して表示する（ステップＳ３）。
これにより、撮影者は、第１表示手段１の全体画像と第２表示手段２の拡大画像とを同時に見ることができる。
【００４３】
次いで、制御部６は、自動移動モードであるか否か判断する（ステップＳ４）。
自動移動モードとは、撮影範囲（表示手段１の表示領域）において第２表示手段２で拡大表示される一部領域１ａを、自動的に移動させる自動移動表示機能を発揮させるモードである。
【００４４】
そこで、ステップＳ４において、「Ｙｅｓ」と判断した場合、制御部６は、第２表示手段２に自動移動表示機能を発揮させ、第２表示手段２で拡大表示される一部領域（合焦画像）１ａを自動的にスクロールさせる（ステップＳ５）。
これにより、撮影者は、第１表示手段１で全体画像を確認しながら、同時に、且つ自動的に、第２表示手段２で全体画像の各部について逐次詳細に確認することができる。なお、ステップＳ５において一定時間何らシャッターボタン３及び十字キー４などのキー入力がない場合は、ステップＳ５の状態を維持することとしてもよい。また、ステップＳ５の動作を一定時間行った後に、ステップＳ１に戻ることとしてもよい。
【００４５】
一方、ステップＳ４において、「Ｎｏ」と判断した場合、制御部６は、一定時間において十字キー４からの入力がないか否か判断する（ステップＳ６）。
ステップＳ６において、「Ｎｏ」と判断した場合、制御部６は、十字キー４の操作状況に応じて、第２表示手段２で拡大表示される一部領域（合焦画像）１ａを移動させる（ステップＳ７）。
これにより、撮影者は、第１表示手段１で全体画像を全体的に確認しながら、同時に、第２表示手段２で全体画像における撮影者の所望部分を詳細に確認することができる。なお、ステップＳ７において一定時間何らシャッターボタン３及び十字キー４などのキー入力がない場合は、ステップＳ７の状態を維持することとしてもよい。また、ステップＳ７の動作を一定時間行った後に、ステップＳ４に戻る。
【００４６】
（ライブ表示機能）
第１表示手段１は、撮像手段７による撮影の前に、撮像手段７が取り込んだ画像についてその撮像手段７が逐次出力する生画像を表示するライブ表示機能を有する。第２表示手段２は、第１表示手段１が表示する生画像の一部領域１ａを拡大して表示する生画像拡大表示機能を有する。
【００４７】
これらにより、デジタルカメラ１００は、現在の撮影状態（撮像手段７が取り込んでいる画像）を撮影領域全体として第１表示手段１で表示でき、現在の撮影状態におけるフレーミングなどを確認できる。これと同時に、デジタルカメラ１００は、第２表示手段２において、現在の撮影状態における撮影領域の一部を拡大画像として表示できる。これにより、現在の撮影状態における合焦などを良好に確認できる。これらにより、撮影者は、撮影の直前に、生画像の一部を詳細に確認しながら、同時に、生画像の全体を確認することができる。したがって、デジタルカメラ１００は、現在、所望のフレーミングであり且つ所望の合焦となっているかを迅速に且つ簡便に確認することができる。
【００４８】
（再生表示機能）
第１表示手段１は、撮像手段７で撮像されてＲＯＭ８又はＲＡＭ９などに記録されている画像である再生画像の全体を表示する再生表示機能を有する。第２表示手段２は、第１表示手段１が表示する再生画像の一部領域１ａを拡大して表示する再生画像拡大表示機能を有する。
【００４９】
これらにより、デジタルカメラ１００は、記録されている再生画像の全体を第１表示手段１で表示できる。これと同時に、デジタルカメラ１００は、第１表示手段１で表示されている再生画像の一部を拡大した画像を第２表示手段２で表示できる。そこで、デジタルカメラ１００は、すでに記録されている再生画像の一部を詳細に確認しながら、同時に、その再生画像の全体を確認できる。したがって、デジタルカメラ１００は、過去に撮影した大量の再生画像などについて、所望のフレーミングであり且つ所望の合焦となっているかを迅速に且つ簡便に確認することができる。
【００５０】
また、デジタルカメラ１００は、クイック表示機能、ライブ表示機能及び再生表示機能の各機能において、十字キー４の操作により、スクロール機能を発揮することができる。すなわち、クイック表示機能、ライブ表示機能及び再生表示機能の各機能において、第１表示手段１の画像領域全体における第２表示手段２で表示する一部領域１ａの位置について、自由に移動させることができる。
【００５１】
また、デジタルカメラ１００は、第１表示手段１で表示されている画像領域を分割して複数の分割領域にするとともに、その複数の分割領域における一つの領域を選択して、その領域の画像を第２表示手段２に拡大表示する分割機能を有することとしてもよい。この分割機能において選択される１つの分割領域は、十字キー４の操作により選択できる構成とすることが好ましい。また、図３のフローチャートにおけるステップＳ５のように自動移動表示させてもよい。これらにより、十字キー４の操作に応じて又は自動的に、分割された領域を次々に、第２表示手段２に拡大表示することができる。
【００５２】
また、デジタルカメラ１００の第２表示手段２は、第２表示手段２における表示倍率を十字キー４の操作などに応じて変更する倍率変更部を有することが好ましい。これにより撮影者は第２表示手段２における表示倍率を徐々に拡大・縮小させることなどができる。したがって、撮影者は、第１表示手段１で良好にフレーミングの確認をしながら、同時に第２表示手段２において高精度にピンボケ及びブレなどの確認をすることができる。
【００５３】
（第２実施形態）
図４は本発明の第２実施形態に係るデジタルカメラ２００の外観を示す図であり、図４（ａ）は背面図であり、図４（ｂ）は平面図である。図４において、図１に示す第１実施形態のデジタルカメラ１００の構成要素と同一のものには同一符号を付けている。本実施形態のデジタルカメラ２００とデジタルカメラ１００との相違点は、外観構成である。したがって、デジタルカメラ２００の内部構成は、図２に示すデジタルカメラ１００の内部構成と同一とすることができる。
【００５４】
本実施形態のデジタルカメラ２００は、折り畳み式携帯電話のように折り畳める構造となっている。具体的にはデジタルカメラ２００は、第１本体部２１、第２本体部２２及び連結部２３を有している。そして、第１本体部２１と第２本体部２２とが連結部２３で回動自在に連結されている。図４（ａ），（ｂ）ともに、デジタルカメラ２００における開いた状態を示している。デジタルカメラ２００を閉じる場合は、連結部２３を中心軸として、図４（ｂ）の矢印方向に第１本体部２１及び第２本体部２２を回動させる。すると、折り畳み式携帯電話を閉じるように、デジタルカメラ２００が折り畳まれる。
【００５５】
また、第１本体部２１の背面には、第１表示手段１が配置されている。第１本体部２１の正面には、撮像手段の構成要素であるレンズ２４が配置されている。第２本体部２２の背面には、第２表示手段２及び十字キー４が配置されている。第２本体部２２の上面にはシャッターボタン３が配置されている。したがって、デジタルカメラ２００が折り畳まれたとき、第１表示手段１と第２表示手段２とが向き合う。
【００５６】
これらにより、本実施形態のデジタルカメラ２００は、撮影時又は再生時などにおいて第１表示手段１で撮影画像の全体を確認でき、同時に、第２表示手段２で撮影画像の合焦状態などを良好に確認することができる。また、デジタルカメラ２００は、撮影時又は再生時以外では携帯に便利な外観状態になることができる。
【００５７】
（第３実施形態）
図５は本発明の第３実施形態に係るデジタルカメラ３００の外観を示す背面図である。図４において、図１に示す第１実施形態のデジタルカメラ１００の構成要素と同一のものには同一符号を付けている。本実施形態のデジタルカメラ３００とデジタルカメラ１００との相違点は、外観構成である。したがって、デジタルカメラ３００の内部構成は、図２に示すデジタルカメラ１００の内部構成と同一とすることができる。
【００５８】
本実施形態のデジタルカメラ３００は、本体部３１及びスライド部３２を有している。スライド部３２は、図面の矢印方向にスライドすることができる。そして、図５（ａ）はスライド部３２が本体部３１から引き出された状態を示している。図５（ｂ）は、スライド部３２が本体部３１に収納された状態、すなわちスライド部３２と本体部３１とが重なった状態を示している。
【００５９】
また、本体部３１の背面には、第２表示手段２が配置されている。スライド部３２の背面には、第１表示手段１及び十字キー４が配置されている。スライド部３２の上面にはシャッターボタン３が配置されている。撮像手段７におけるズームレンズ、絞り及び合焦レンズなどは、第１表示手段１又は第２表示手段２の裏側、すなわち、本体部３１又はスライド部３２の正面に配置されている。
【００６０】
これらにより、本実施形態のデジタルカメラ３００は、撮影時又は再生時などにおいて第１表示手段１で撮影画像の全体を確認でき、同時に、第２表示手段２で撮影画像の合焦状態などを良好に確認することができる。また、デジタルカメラ３００は、撮影時又は再生時以外では携帯に便利な外観状態になることができる。
【００６１】
以上、本発明の実施の形態について説明したが、本発明のカメラ及び撮影方法は、上述の図示例にのみ限定されるものではなく、本発明の要旨を逸脱しない範囲内において種々変更を加え得ることは勿論である。
【００６２】
例えば、第１表示手段１及び第２表示手段２は、それぞれ１つづつではなく、どちらか一方又は双方が複数個あってもよい。すなわち、デジタルカメラ１００のカメラ本体１０に複数の第２表示手段２が配置されている構成としてもよい。この場合、各第２表示手段２は、互いに異なる表示倍率にしてもよい。
【００６３】
また、第１表示手段１と第２表示手段２との配置は逆にしてもよい。すなわち、デジタルカメラ１００では、カメラ本体１０に第１表示手段１を配置し、ポップアップ部１５に第２表示手段２を配置してもよい。デジタルカメラ２００では、第１本体部２１に第２表示手段２を配置し、第２本体部２２に第１表示手段１を配置してもよい。デジタルカメラ３００では、本体部３１に第１表示手段１を配置し、スライド部３２に第２表示手段２を配置してもよい。
【産業上の利用可能性】
【００６４】
本発明は、各種のカメラに有用である。特に、本発明は、デジタルカメラ及びデジタルビデオカメラに好適である。
【図面の簡単な説明】
【００６５】
【図１】本発明の第１実施形態に係るデジタルカメラを示す斜視図である。
【図２】同上のデジタルカメラの構成を示すブロック図である。
【図３】同上のデジタルカメラのクイック表示機能を示すフローチャートである。
【図４】本発明の第２実施形態に係るデジタルカメラの外観を示す図である。
【図５】本発明の第３実施形態に係るデジタルカメラの外観を示す図である。
【符号の説明】
【００６６】
１…第１表示手段、１ａ…一部領域、２…第２表示手段、３…シャッターボタン、４…十字キー、５…キー入力部、６…制御部、７…撮像手段、８…ＲＯＭ、９…ＲＡＭ、１０…カメラ本体、１１…ＶＲＡＭ、１５…ポップアップ部、２１…第１本体部、２２…第２本体部、２３…連結部、２４…レンズ、３１…本体部、３２…スライド部、１００，２００，３００…デジタルカメラ
【図１】
2006174042.tif 000003
【図２】
2006174042.tif 000004
【図３】
2006174042.tif 000005
【図４】
2006174042.tif 000006
【図５】
2006174042.tif 000007